(57)【要約】【課題】換気保持されていた窓を、全閉位置まで戻す必要もなく即座に全開放操作して、非常時における窓からの避難や救助要請を円滑に行なえる窓換気用のステーを提供する。【解決手段】本発明の換気ステーは、一端が窓２に対して揺動可能に連結される牽制アーム６と、開口枠１に固定されるガイド枠３と、ガイド枠３で往復スライド自在に案内されるスライダー４とを備える。牽制アーム６の他端とスライダー４とは、牽制アーム６に固定した連結ピン１３を介して連結する。スライダー４は、連結ピン１３用の連結穴２２を備えたスライドフレーム１７を備える。連結穴２２に係合した連結ピン１３を分離不能にロック保持するロック機構をスライダー４に組み付ける。窓２が牽制アーム６で換気位置に位置保持された状態において、ロック機構をロック解除操作すると、牽制アーム６とスライダー４の連結状態を解除して、窓２を換気位置からいきなり全開放操作できる。【選択図】図１
2010116695.tif 000002
【特許請求の範囲】
【請求項１】
開口枠（１）と窓（２）の開先部との間に配置されて、窓（２）が換気開放位置を越えて開放されるのを規制する窓換気用のステーであって、
一端が窓（２）に対して揺動可能に連結される牽制アーム（６）と、開口枠（１）に固定されるガイド枠（３）と、ガイド枠（３）で往復スライド自在に案内されるスライダー（４）とを備えており、
牽制アーム（６）の他端とスライダー（４）とが、牽制アーム（６）に装着した連結ピン（１３）を介して連結されており、
スライダー（４）は、連結ピン（１３）用の連結穴（２２）を備えたスライドフレーム（１７）を備えており、
前記連結穴（２２）に係合した連結ピン（１３）を分離不能にロック保持するロック機構が、スライダー（４）に組み付けられており、
窓（２）が牽制アーム（６）で換気位置に位置保持された状態において、前記ロック機構をロック解除操作して牽制アーム（６）とスライダー（４）の連結状態を解除できることを特徴とする窓換気用のステー。
【請求項２】
ロック機構は、スライドノブ（３５）と、スライドノブ（３５）と同行移動するロックプレート（３６）と、連結ピン（１３）の端部寄りに形成される係合溝（１４）とを含み、
ロックプレート（３６）には、前記係合溝（１４）に係脱するロック穴（４６）と、連結ピン（１３）の出入りを許す逃穴（４７）とが形成されており、
スライドノブ（３５）がスライドフレーム（１７）でスライド切り換え可能に支持されて、ロック穴（４６）が連結ピン（１３）の係合溝（１４）と係合するロック位置と、逃穴（４７）が連結ピン（１３）の周囲を囲むロック解除位置とに切り換え可能である請求項１に記載の窓換気用のステー。
【請求項３】
スライドノブ（３５）がスライドフレーム（１７）の開放端に、スライダー（４）のスライド方向と同じ向きに往復スライド可能に組み付けられており、
スライダー（４）がガイド枠（３）の端部に設けたストッパーブロック（１０）で受け止められた換気開放状態において、スライドノブ（３５）をストッパーブロック（１０）の側へ向かって押し込み操作して、ロック機構をロック解除できる請求項２に記載の窓換気用のステー。
【請求項４】
スライドノブ（３５）に、連結ピン（１３）を連結穴（２２）から押し出し操作するカム片（４１）が設けられており、
スライドノブ（３５）がロック位置からロック解除位置へ切り換え操作されて、ロック穴（４６）と係合溝（１４）の係合状態が解除されるのに連動して、連結ピン（１３）をカム片（４１）で連結穴（２２）から押し出し操作して、牽制アーム（６）とスライダー（４）との連結解除動作を補助できる請求項２または３に記載の窓換気用のステー。
【請求項５】
スライダー（４）が、断面ハット形のプレス金具からなるスライドフレーム（１７）と、スライドフレーム（１７）の側脚（２１）に装着固定されて、ガイド枠（３）のガイド溝（７）で摺動案内される一対の摺動体（１８）とを含んで構成されており、
スライドノブ（３５）は、スライドフレーム（１７）の一端開口から同フレーム内の空所に差し込み装着される板状のベース（３７）と、ベース（３７）の一端に連続して設けられるＬ字状の操作部（３８）と、ベース（３７）の辺部両側に張り出し形成される一対の規制片（３９）とを備えており、
前記摺動体（１８）に設けたガイド凹部（２８）で前記規制片（３９）のスライド限界を規定して、スライドノブ（３５）がスライドフレーム（１７）に対してスライド切り換え可能に、かつ分離不能に装着してある請求項２、３または４に記載の窓換気用のステー。
【請求項６】
断面ハット形のスライドフレーム（１７）の外端壁（２０ａ）に連結穴（２２）が開口されて、前記外端壁（２０ａ）の内面に摺動抵抗の小さなスリップ板（１９）が装着されており、
スライドノブ（３５）のベース（３７）に、連結ピン（１３）の出入りを許すピン開口（４０）と、前記カム片（４１）とが形成されており、
スライドノブ（３５）の操作部（３８）の外端壁には、ロックプレート（３６）用の組付穴（４２）が形成されており、
ロックプレート（３６）が、ロック穴（４６）および逃穴（４７）が形成されるロック壁（４４）と、ロック壁（４４）の一端に連続してＺ字に折り曲げられるばね腕（４５）とを一体に備えた金属製の板ばね体からなり、
ロックプレート（３６）をスライドノブ（３５）に組み付けた状態において、前記ロック壁４４がベース（３７）に外接し、ばね腕（４５）が操作部（３８）の内面に接合し、ばね腕（４５）の遊端が組付穴（４２）に係合している請求項２から５にいずれかに記載の窓換気用のステー。
【発明の詳細な説明】
【技術分野】
【０００１】
本発明は、牽制アームで窓を換気位置において開放規制でき、非常時には牽制アームの開放規制機能を解除して窓を全開放できる窓換気用のステーに関する。
【背景技術】
【０００２】
この種の窓換気用のステーは、例えば特許文献１に公知である。そこでは、牽制アームの一端を窓に揺動可能に連結し、アーム他端に固定したスライドピンを開口枠に装着したガイド枠でスライド案内して、窓を閉じ位置と換気位置との間で開閉できるようにしている。ガイド枠には、スライドピンをスライド案内するガイド溝と、スライドピンをガイド溝に出入りさせるための出入口とが形成してある。出入口は、ガイド枠の内面に組み込んだシャッターで開閉できる。出入口を開放した状態においては、スライドピンが窓に同行してガイド枠を出入りできるので、牽制アームとガイド枠の連結状態を解除できる。したがって、窓を閉じ位置から全開放できる。
【０００３】
本発明における窓換気用のステーは、非常時に牽制アームによる開放規制機能を解除して、窓を全開放操作できるが、この種の装置は特許文献２に開示してある。そこでは、ロック構造を収容するケースが開口枠に固定してあり、牽制アームに固定した連結軸を先のロック構造でロック保持して、窓が換気開放位置を越えて開放されるのを規制している。非常時には、ケース内に収容したソレノイドを作動させてロック構造をロック解除状態に切り換え、連結軸とロック板との係合を解除することにより、窓を換気開放位置から全開放操作して窓から避難し、あるいは外部に救助要請をすることができる。非常事態の発生と同時に停電した場合に備えて、ロック構造は解除鍵によってもロック解除できるようにしてある。
【０００４】
【特許文献１】特許第３５０５６４１号公報（段落番号００１７、図２）
【特許文献２】特開平１１−９３４９１号公報（段落番号００２１〜００２２、図７）
【発明の開示】
【発明が解決しようとする課題】
【０００５】
特許文献１の窓換気用のステーは、シャッターを切り換えて出入口を開放し、牽制アームとガイド枠との連結を解除可能な状態にすることにより窓を全開放できる。しかし、非常時に窓から脱出しなければならないような状況においては、誰もが定められた手順に従って窓を開放できるとは限らない。換気開放された状態の窓を全開放するには、シャッターを操作してスライドピン用の出入口を開放し、さらに換気位置にある窓を一旦閉じ操作したうえで、再び開放操作する必要があり、緊迫した状況下では、一連の操作を冷静に行なえないおそれがある。とくに、換気位置にある窓を一旦閉じ操作する行為は、一刻も早く窓を全開放して建物から脱出したい避難者の心理と相反する動作となり、心理的に大きな抵抗となるからである。
【０００６】
その点、特許文献２の窓換気用のステーは、例えば窓の近傍や、管理室に設けられた非常脱出用のボタンをオン操作するだけで、ロック構造をロック解除状態に切り換えて、牽制アームによる開放規制機能を解除し窓を全開放できる。しかし、停電時には解除鍵でロック構造をロック解除操作する必要があるため、解除鍵の保管場所と、解除鍵の使用方法とを予め認識しておく必要があり、訓練や研修などを事前に受けていない使用者にとっては、とっさの役に立たない。
【０００７】
本発明の目的は、牽制アームで換気位置に保持された窓を、全閉位置まで戻す必要もなくいきなり全開放操作することができ、したがって、非常時における窓からの避難を誰もが円滑に行なえる窓換気用のステーを提供することにある。本発明の目的は、訓練や研修などを受けていない人であっても、牽制アームとスライダーとの連結状態をワンタッチで解除して、換気位置にあった窓を迅速かつ簡単に全開放操作でき、避難や救助要請を誰もが円滑に行なえる窓換気用のステーを提供することにある。
【課題を解決するための手段】
【０００８】
本発明に係る窓換気用のステーは、開口枠１と窓２の開先部との間に配置されて、窓２が換気開放位置を越えて開放されるのを規制する。窓換気用のステーは、一端が窓２に対して揺動可能に連結される牽制アーム６と、開口枠１に固定されるガイド枠３と、ガイド枠３で往復スライド自在に案内されるスライダー４とを備えている。牽制アーム６の他端とスライダー４とは、牽制アーム６に装着した連結ピン１３を介して連結する。スライダー４は、連結ピン１３用の連結穴２２を備えたスライドフレーム１７を備えている。連結穴２２に係合した連結ピン１３を分離不能にロック保持するロック機構を、スライダー４に組み付ける。以て、窓２が牽制アーム６で換気位置に位置保持された状態において、ロック機構をロック解除操作して牽制アーム６とスライダー４の連結状態を解除できることを特徴とする。
【０００９】
ロック機構は、スライドノブ３５と、スライドノブ３５と同行移動するロックプレート３６と、連結ピン１３の端部寄りに周回状に形成される係合溝１４とを含む。ロックプレート３６には、前記係合溝１４に係脱するロック穴４６と、連結ピン１３の出入りを許す逃穴４７とが形成してある。スライドノブ３５はスライドフレーム１７でスライド切り換え可能に支持して、ロック穴４６が連結ピン１３の係合溝１４と係合するロック位置と、逃穴４７が連結ピン１３の周囲を囲むロック解除位置とにスライド切り換え可能とする。
【００１０】
スライドノブ３５はスライドフレーム１７の開放端に、スライダー４のスライド方向と同じ向きに往復スライド可能に組み付ける。スライダー４がガイド枠３の端部に設けたストッパーブロック１０で受け止められた換気開放状態において、スライドノブ３５をストッパーブロック１０の側へ向かって押し込み操作して、ロック機構をロック解除できるようにする。
【００１１】
スライドノブ３５に、連結ピン１３を連結穴２２から押し出し操作するカム片４１を設ける。スライドノブ３５がロック位置からロック解除位置へ切り換え操作されて、ロック穴４６と係合溝１４の係合状態が解除されるのに連動して、連結ピン１３をカム片４１で連結穴２２から押し出し操作して、牽制アーム６とスライダー４との連結解除動作を補助する。
【００１２】
スライダー４は、断面ハット形のプレス金具からなるスライドフレーム１７と、スライドフレーム１７の側脚２１に装着固定されて、ガイド枠３のガイド溝７で摺動案内される一対の摺動体１８とを含んで構成する。スライドノブ３５は、スライドフレーム１７の一端開口から同フレーム内の空所に差し込み装着される板状のベース３７と、ベース３７の一端に連続して設けられるＬ字状の操作部３８と、ベース３７の辺部両側に張り出し形成される一対の規制片３９とを備えている。摺動体１８に設けたガイド凹部２８で規制片３９のスライド限界を規定して、スライドノブ３５をスライドフレーム１７に対してスライド切り換え可能に、かつ分離不能に装着する。
【００１３】
断面ハット形のスライドフレーム１７の外端壁２０ａに連結穴２２を開口し、外端壁２０ａの内面に摺動抵抗の小さなスリップ板１９を装着する。スライドノブ３５のベース３７に、連結ピン１３の出入りを許すピン開口４０と、前記カム片４１とを形成する。スライドノブ３５の操作部３８の外端壁に、ロックプレート３６用の組付穴４２を形成する。ロックプレート３６は、ロック穴４６および逃穴４７が形成されるロック壁４４と、ロック壁４４の一端に連続してＺ字に折り曲げられるばね腕４５とを一体に備えた金属製の板ばね体からなる。ロックプレート３６をスライドノブ３５に組み付けた状態において、前記ロック壁４４がベース３７に外接し、ばね腕４５が操作部３８の内面に接合し、ばね腕４５の遊端が組付穴４２に係合する。
【発明の効果】
【００１４】
本発明においては、牽制アーム６と、ガイド枠３と、ガイド枠３で往復スライド自在に案内されるスライダー４などで窓換気用のステーを構成し、牽制アーム６とスライダー４とを牽制アーム６に装着した連結ピン１３を介して連結した。そのうえで、スライダー４に組み付けたロック機構で、連結穴２２に係合した連結ピン１３を分離不能にロック保持できるようにした。また、非常時等には、ロック機構をロック解除操作して牽制アーム６とスライダー４の連結状態を解除して窓２を全開放操作できるようにした。したがって、本発明の窓換気用のステーによれば、牽制アーム６で換気位置に保持された窓２を、全閉位置まで戻す必要もなくいきなり全開放操作して、非常時における窓からの避難や、救助要請を誰もが迅速かつ円滑に行なえる。また、窓２を換気開放した状態でロック機構を操作して連結ピン１３をロック解除するので、連結ピン１３がロック解除され、牽制アーム６をスライダー４から分離できることを、目視しながら明確に確認でき、したがって、牽制アーム６の連結解除操作を的確に行なえる。
【００１５】
スライドノブ３５と、ロックプレート３６と、連結ピン１３の係合溝１４などでロック機構を構成し、スライドノブ３５をスライドフレーム１７でロックあるいはロック解除操作可能にスライド案内すると、スライドノブ３５を押し引きスライド操作するだけの簡単な操作で、連結ピン１３をロック状態とロック解除状態とに切り換えることができる。つまり、牽制アーム６とスライダー４との連結状態をワンタッチで解除して、緊迫した状況下であっても、換気位置にあった窓２を迅速かつ簡単に全開放操作できる。また、連結ピン１３が連結されるスライダー４にスライドノブ３５を組み付けるので、スライドノブ３５と牽制アーム６とが関連していることを直感的に認識させやすい。したがって、たとえ避難者がロック解除方法を知らない場合であっても、試行錯誤を繰り返すうちにスライドノブ３５を切り換え操作して連結ピン１３を分離し、窓２を全開放できる可能性が高まる。さらに訓練や研修などを受けていない人であっても、牽制アーム６とスライダー４との連結状態をワンタッチで解除して、換気位置にあった窓２を迅速かつ簡単に全開放操作でき、避難や救助要請を誰もが円滑に行なえることとなる。
【００１６】
換気開放状態において、スライドノブ３５をストッパーブロック１０の側へ向かって押し込み操作してロック機構をロック解除するステーによれば、スライダー４をストッパーブロック１０で移動不能に受け止めた状態でスライドノブ３５を切り換え操作できるので、スライドノブ３５のロック解除位置への切り換え操作をより確実にしかも迅速に行なえる。
【００１７】
スライドノブ３５にカム片４１を設け、スライドノブ３５を切り換え操作して、連結ピン１３をカム片４１で連結穴２２から押し出し操作できるステーによれば、牽制アーム６とスライダー４との連結解除動作をカム片４１で補助して、さらに確実に牽制アーム６をスライダー４から分離できる。また、ロック穴４６と係合溝１４の係合状態が解除されるのに連動して、連結ピン１３をカム片４１で連結穴２２から押し出し操作するので、避難者はスライドノブ３５を単に押し込み操作するだけで、連結ピン１３のロック解除操作と連結穴２２からの分離操作とを一挙に、しかも簡便に行なえる。さらに、非常事態が沈静化した後には、連結ピン１３を連結穴２２内に差し込み係合するが、このとき、連結ピン１３の突端がカム片４１の傾斜面に接当して、スライドノブ３５を下方へスライド操作してロック姿勢に切り換えるので、連結ピン１３の係合溝１４をロック穴４６でロック固定して、窓２を通常の使用状態に復旧できる。
【００１８】
スライドフレーム１７と、一対の摺動体１８などでスライダー４を構成し、スライドノブ３５をスライドフレーム１７に組み付けた状態において、摺動体１８に設けたガイド凹部２８で、スライドノブ３５の規制片３９のスライド限界を規定するステーによれば、ビスやリベットなどの締結体を使用する必要もなく、スライドノブ３５をスライダー４に対してスライド切り換え可能に、かつ分離不能に装着できる。したがって、ステーの構成部品点数を削減し、さらに組み立てに要する工数を減少してステーの製作コストを減少できる。
【００１９】
断面ハット形のスライドフレーム１７の外端壁２０ａの内面に摺動抵抗の小さなスリップ板１９を装着すると、スライドノブ３５に組み付けたロックプレート３６をスリップ板１９で受け止めて、スライドノブ３５のスライド操作を円滑に行なえる。また、ロック壁４４とＺ字に折り曲げられるばね腕４５とでロックプレート３６を形成し、ロックプレート３６をスライドノブ３５に組み付けた状態において、ロック壁４４がベース３７に外接し、ばね腕４５が操作部３８の内面に接合し、ばね腕４５の遊端を組付穴４２に係合させると、ロックプレート３６の弾性のみで、組み付け状態を保持できる。したがって、別途ビスなどを締結体を使用する必要がなく、ステーの製作コストをさらに減少できる。
【発明を実施するための最良の形態】
【００２０】
（実施例）  図１ないし図１０は本発明に係る窓換気用のステーの実施例を示す。図２において、符号１は開口枠、符号２は窓である。開口枠１および窓２の窓枠は、それぞれアルミニウム条材あるいはプラスチック条材を四角枠状に組んで構成してある。窓２は図示していないヒンジで支持されて揺動開閉でき、窓２を閉じた状態では、窓２をハンドル錠８で開放不能に固定できる。窓２が換気位置を越えて開放されるのを規制するために、開口枠１の縦枠と、窓枠の揺動先端（開先部）側の縦枠との間に、本発明に係る窓換気用のステーを配置する。
【００２１】
窓換気用のステーは、開口枠１に固定される縦長のガイド枠３と、ガイド枠３で上下スライド自在に案内支持されるスライダー４と、一端が締結枠５を介して窓２に連結され、他端がスライダー４に連結される牽制アーム６とで構成する。ガイド枠３は、断面がＣ字状のステンレス板材製のプレス金具からなり、その内面にスライダー４を摺動案内するガイド溝７を備えている。ガイド溝７の上下端には、スライダー４の摺動限界を規定するストッパーブロック１０がかしめ固定してある。ストッパーブロック１０はポリアセタールを素材とする成形品からなり、ガイド枠３と共にビス１１で開口枠１に締結固定してある（図３参照）。
【００２２】
牽制アーム６は、両端が丸められたステンレス製の帯板状のプレス金具からなり、その上端側が先の締結枠５に揺動ピン１２を介して連結され、下端側に丸軸状の連結ピン１３がかしめ固定してある。牽制アーム６は、揺動ピン１２で揺動可能に支持されており、窓２が換気位置へ開放されるとき、揺動ピン１２が傾動して開口枠１と締結枠５が非平行になるのを吸収する（図２参照）。連結ピン１３の突端寄りには、係合溝１４が周回状に形成してある。連結ピン１３をスライダー４に差し込み連結することにより、窓２が閉じ位置から換気位置まで開放されるとき、スライダー４は窓２の開放動作に追随して上昇スライドする。
【００２３】
図５においてスライダー４は、ステンレス製のスライドフレーム１７と、スライドフレーム１７に組み付けられる一対の摺動体１８と、スライドフレーム１７の内部に組み付けられるスリップ板１９とで構成する。スライドフレーム１７は、上端のみが折曲げ壁で塞がれた縦長の連結枠２０と、連結枠２０の長辺部の両側に張り出し形成される一対の側脚２１とを備えた、横断面がハット形のプレス金具からなる。連結枠２０の外端壁２０ａの上下中央には、連結ピン１３と係合する円形の連結穴２２が形成され、その上下にスリップ板１９を装着するための四角形状の係止穴２３が形成してある。側脚２１の上下中央部分は切欠２４で分断されている。
【００２４】
摺動体１８は横断面が鉤形の縦長のプラスチック成形品からなり、その厚み方向中途部に先の側脚２１に外嵌する上下一対の溝２６が形成してある。上下の溝２６の間には、先の切欠２４と係合して、摺動体１８の上下方向のずれを防ぐ区分壁２７が設けてある。また、先に説明したガイド溝７の溝底と摺動する面壁の上下にはガイド凹部２８が形成してある。ガイド凹部２８を上下に設けるのは、摺動体１８を図５に向かって左用と右用とで兼用するためである。図８に示すように、摺動体１８はガイド溝７の側方溝に嵌まり込んだ状態で、ガイド溝７に沿って上下スライドする。
【００２５】
スリップ板１９は、短冊状のプラスチック成形品からなり、その上下中央に連結ピン１３と係合する円形の連結穴３０が形成され、その上下に四角形の係止突起３１・３２が形成してある。上下の係止突起３１・３２のうち、下側の係止突起３２の突出寸法は上側の係止突起３１の突出寸法より大きく設定してある。スリップ板１９をスライドフレーム１７の連結枠２０の内面に組み込んだ状態では、上下の係止突起３１・３２が係止穴２３に係合して、スリップ板１９を上下動不能に保持固定する。この装着状態において、下側の係止突起３２の突端は外端壁２０ａの表面から僅かに突出している。なお、摺動体１８およびスリップ板１９は、摺動抵抗の小さく耐摩耗性に富むプラスチック材を素材とする成形品からなり、例えばポリアセタールで形成する。
【００２６】
スライドフレーム１７およびスリップ板１９の連結穴２２・３０に差し込み連結された連結ピン１３を分離不能にロック保持するために、スライダー４にロック機構を設けている。ロック機構は、スライダー４に組み付けられるスライドノブ３５と、スライドノブ３５と同行移動するロックプレート３６と、連結ピン１３に設けた係合溝１４とからなる。
【００２７】
スライドノブ３５は、上下に長い板状のベース３７と、ベース３７の下端に連続するＬ字状の操作部３８と、ベース３７の長辺部の両側に張り出し形成される一対の規制片３９などを備えている。ベース３７の上部には、連結ピン１３の出入りを許す四角形のピン開口４０が形成され、その下側の開口周面に楔状のカム片４１が形成してある。また、操作部３８の外端壁３８ａには、ロックプレート３６用の組付穴４２が四角形状に形成してある。
【００２８】
ロックプレート３６は、上下に長い短冊状のロック壁４４と、ロック壁４４の下端に連続してＺ字に折り曲げられるばね腕４５とを一体に備えた金属製の板ばね体からなる。ロック壁４４には、先の係合溝１４と係合するトンネル断面状のロック穴４６と、ロック穴４６より広幅の逃穴４７とが形成してある。逃穴４７の下端には、カム片４１の基端部分に係合する切欠４８が形成してある。
【００２９】
ロックプレート３６をスライドノブ３５に組み付けた状態においては、ロック壁４４がベース３７に外接し、ばね腕４５が操作部３８の内面に接合し、ばね腕４５の遊端が組付穴４２に係合している。ロックプレート３６が組み付けられたスライドノブ３５は、そのベース３７をスライドフレーム１７の下端開口から、同フレーム内の空所に差し込み装着して、スライドフレーム１７と一体化する。詳しくは、図１０に示すようにスライドフレーム１７に、スリップ板１９を組み付けた後、先の要領でロックプレート３６が組み付けられたスライドノブ３５をスライドフレーム１７に組み付ける。最後に、スライドフレーム１７の側脚２１に摺動体１８を組み付けて、規制片３９を一対の摺動体１８のガイド凹部２８で両側から挟み込む。
【００３０】
上記のように、スライドノブ３５をスライドフレーム１７に組み付けた状態では、スライドノブ３５を上下にスライド操作して下方のロック位置と、上方のロック解除位置とにスライド切り換えできる。このときの規制片３９のスライド範囲（スライド限界）はガイド凹部２８で規定されており、スライドノブ３５はスライドフレーム１７に対して分離不能に装着された状態となる。
【００３１】
スライドノブ３５が組み込まれた状態のスライダー４を、ガイド枠３のガイド溝７に嵌め込み、この状態でストッパーブロック１０をガイド枠３にかしめ固定することにより、ガイド枠３と、スライダー４と、ロック機構などを１個のユニット部品として取り扱うことができる。したがって、本発明のステーを施工現場で開口枠１および窓２に組み付ける場合には、ガイド枠３と、牽制アーム６が連結された締結枠５のいずれか一方を、開口枠１あるいは窓２に組み付けた後、連結ピン１３をスライダー４に連結した状態で他方の位置決めを行なって固定すればよく、一連の取り付け作業をより簡単にしかも正確に行なうことができる。
【００３２】
連結ピン１３が連結穴２２・３０に差し込み係合された状態において、スライドノブ３５をロック位置側へスライド操作すると、図６および図７に示すように、ロック穴４６が連結ピン１３の係合溝１４と係合して、連結ピン１３を抜け外れ不能にロック保持できる。上記のロック状態から、図１に示すようにスライドノブ３５をロック解除位置側へ上向きにスライド操作すると、ロック穴４６と係合溝１４との係合状態が解除され、連結ピン１３の周囲を逃穴４７が囲む状態となり、連結ピン１３は連結穴２２・３０から抜き出し可能となる。ロック解除位置を越えてスライドノブ３５をさらに押し上げ操作すると、カム片４１の傾斜面が連結ピン１３の突端に接当して、連結ピン１３を連結穴２２・３０から抜け出る向きへ押し出し操作して、牽制アーム６とスライダー４との連結解除動作を補助できる。
【００３３】
スライドノブ３５がロック位置にある状態では、図７に示すようにばね腕４５の屈曲部４５ａがスライドフレーム１７の下端縁に接当している。しかし、スライドノブ３５をロック位置からロック解除位置側へ押し込むと、先の屈曲部４５ａが自己の弾性に抗して外端壁２０ａに乗りがり、適度の摩擦抵抗を生じさせる。そして、ロック解除位置を越えてスライドノブ３５をさらに押し上げ操作すると、規制片３９がガイド凹部２８の上端で受け止められて、それ以上スライドノブ３５が上方へスライドするのを規制する。このとき、屈曲部４５ａは下側の係止突起３２の下縁に接当している（図１参照）。スライドノブ３５をロック解除操作する状態では、スライダー４が上側のストッパーブロック１０で受け止められているので、スライドノブ３５をより確実にしかも迅速にロック解除位置へ移動操作できる。
【００３４】
通常の使用状態においては、スライドノブ３５をロック位置側へ切り換えた状態で窓２を換気開放する。窓２を閉じた状態では、図４に示すように、窓換気用のステーを構成する各部材が、開口枠１の縦枠と窓２の開先との間に隙間に収まっている。このときのスライダー４はガイド枠３の下側に位置している。図３に示すように、閉じ状態の窓２を換気開放すると、スライダー４が上側のストッパーブロック１０で受け止められて、牽制アーム６が窓２に同行して室外側へ突出している。このときの窓２の開先と開口枠１との隙間は、落下を防ぐ必要上約１５ｃｍに設定してある。
【００３５】
上記のような換気開放時に例えば火事が発生し、非常口や非常用階段から非難できないような場合には、やむを得ず窓２を全開放操作して、外部に対して救助を要請し、あるいは避難器具を使用して脱出することになる。こうした非常時には、スライドノブ３５を上向きに押し込み操作することにより、図１に示すように連結ピン１３とスライダー４との連結状態を解除できる。連結ピン１３がスライダー４から分離された状態の牽制アーム６は、開口枠１による拘束から開放されるので、直ちに全開放操作することができる。
【００３６】
以上のように、本発明の窓換気用のステーによれば、非常時には、牽制アーム６の開口枠１との連結状態をワンタッチで解除して、窓２を換気開放位置からいきなり全開放操作でき、非常時における窓２からの避難や、救助要請を誰もが速やかに、しかも円滑に行なえる。また、従来の窓換気用のステーにおいて不可欠であった、窓を換気位置から全閉位置まで戻す手間を省くことができるので、一刻も早く窓２を全開放して建物から脱出したい避難者の心理に合致して、窓２を換気位置から全開放位置へ即座に開放できる。さらに、牽制アーム６とスライダー４との連結解除操作を、スライドノブ３５を押し込み操作するだけのワンタッチ動作で行なえるので、緊迫した状況下であっても換気位置にあった窓２を迅速かつ簡単に全開放操作できる。また、訓練や研修などを受けていない人であっても、牽制アーム６とスライダー４との連結状態をワンタッチで解除して、換気位置にあった窓２を迅速かつ簡単に全開放操作し、避難や救助要請を円滑に行なえる。以上の説明から明らかなように、本発明の窓換気用のステーは非常用の窓、あるいは非常用扉に適用するのに好適である。
【００３７】
因みに、開口枠１の室内側の目に付きやすい個所には、窓２を非常時の脱出口として使用できること、また、窓２を換気位置まで開放した後、スライドノブ３５を上方へ押し込み操作すると、窓２を全開放できること、などが表記された表示板やシールを配置しておくとよい。非常事態が沈静化した後には、窓２を換気位置より室内側に位置させ、牽制アーム６を引き寄せて連結ピン１３と連結穴２２の位置合わせをし、連結ピン１３を連結穴２２内に差し込む。このとき、連結ピン１３の突端がカム片４１の傾斜面に接当して、スライドノブ３５を下方へスライド操作しロック姿勢に切り換える。これにより、連結ピン１３の係合溝１４をロック穴４６でロック固定して、窓２を通常の使用状態に速やかに復旧できる。
【００３８】
開口枠１の縦枠と窓枠の開先部側の縦枠との間に窓換気用のステーを配置して、換気開放時の窓開量を規制するので、窓２の大きさやメーカーの違いとは無関係に、全ての窓２に窓換気用のステーを適用できる利点がある。
【００３９】
上記の実施例では、スライドフレーム１７の内面にスリップ板１９を配置したが、スリップ板１９は省略することができる。上記の実施例では、窓２が揺動開閉される場合について説明したが、本発明のステーは他の開閉構造を採る窓２にも適用できる。例えば、窓２が滑り出しヒンジ（シックスバーヒンジ）で開閉支持してあるような場合でも、窓２の開先と開口枠１との間に本発明のステーを適用できる。また、本発明のステーは突き出し窓や、内倒れ窓などにも適用できる。
【００４０】
連結ピン用のロック構造は、スライドノブ３５で切り換え操作する以外に、揺動レバーや押ボタンで切り換え操作することができる。揺動ピン１２の周囲の締結枠５と牽制アーム６との間に圧縮コイル形のばねを配置して、連結ピン１３が連結穴２２から抜け出る向きに牽制アーム６を傾動付勢することができる。その場合には、ロック解除と同時に牽制アーム６をスライダー４から分離させることができる。スライドノブ３５の操作部３８には、その外端壁３８を利用して、スライドノブ３５の押し込み方向を示す矢印や文字表示などを付加することができる。必要があれば、スライドノブ３５とロックプレート３６は、一体に形成することができる。
【図面の簡単な説明】
【００４１】
【図１】スライダーおよび連結ピンのロック構造を示す縦断正面図である。
【図２】窓を換気開放した状態の窓換気用ステーの平面図である。
【図３】窓を換気開放した状態の窓換気用ステーの側面図である。
【図４】窓を閉じた状態における窓換気用ステーの正面図である。
【図５】スライダーおよびロック構造の分解斜視図である。
【図６】図７におけるＡ−Ａ線断面図である。
【図７】スライダーおよびロック構造の縦断正面図である。
【図８】図７におけるＢ−Ｂ線断面図である。
【図９】図７におけるＣ−Ｃ線断面図である。
【図１０】スライダーおよびロック構造の組み立て手順を示す横断平面図である。
【符号の説明】
【００４２】
１  開口枠
２  窓
３  ガイド枠
４  スライダー
６  牽制アーム
１３  連結ピン
１４  係合溝
１７  スライドフレーム
１８  摺動体
２２  連結穴
３５  スライドノブ
３６  ロックプレート
４１  カム片
４６  ロック穴
４７  逃げ穴
【図１】
2010116695.tif 000003
【図２】
2010116695.tif 000004
【図３】
2010116695.tif 000005
【図４】
2010116695.tif 000006
【図５】
2010116695.tif 000007
【図６】
2010116695.tif 000008
【図７】
2010116695.tif 000009
【図８】
2010116695.tif 000010
【図９】
2010116695.tif 000011
【図１０】
2010116695.tif 000012